(57)【要約】【課題】水分がケース外部に流出することを抑制できる空気清浄器を提供すること。【解決手段】空気の流入口３５ａ及び流出口３５ｂを有するケース３４及びケース３４内で液体３２ｅを噴霧する噴霧口３１ｄを有する洗浄装置３０と、流入口３５ａから流出口３５ｂに向けて空気の流れを生成するファン２１ｆと、を備える空気清浄機１０であって、ケース３４における流入口３５ａと流出口３５ｂとの間には、噴霧口３１ｄから噴霧される液体３２ｅにより流入口３５ａから流入した空気Ａ１を洗浄する洗浄室Ｚ２と、洗浄室Ｚ２の下流側において空気Ａ２を下方向に誘導する第１誘導路３８ｄと、第１誘導路３８ｄにより誘導された空気Ａ２を第１誘導路３８ｄの誘導方向とは異なる方向に誘導する第２誘導路３４ｂ，３８ｂと、が設けられている。【選択図】図６
2018199118.tif 000002
【特許請求の範囲】
【請求項１】
空気の流入口及び流出口を有するケース及び該ケース内で液体を噴霧する噴霧口を有する洗浄装置と、前記流入口から前記流出口に向けて空気の流れを生成するファンと、を備える空気清浄機であって、
前記ケースにおける前記流入口と前記流出口との間には、前記噴霧口から噴霧される前記液体により前記流入口から流入した空気を洗浄する洗浄室と、前記洗浄室の下流側において空気を下方向に誘導する第１誘導路と、前記第１誘導路により誘導された空気を該第１誘導路の誘導方向とは異なる方向に誘導する第２誘導路と、が設けられていることを特徴とする空気清浄器。
【請求項２】
前記第１誘導路は、前記洗浄室を区画するように前記ケースの上壁部から下方に延出する上部側壁により形成されていることを特徴とする請求項１に記載の空気清浄器。
【請求項３】
前記流入口と前記洗浄室との間には、空気導入室が設けられており、前記空気導入室と前記第１誘導路とは、仕切壁により区画されていることを特徴とする請求項１または２に記載の空気清浄器。
【請求項４】
前記流入口と前記洗浄室との間には、空気導入室が設けられており、前記空気導入室と前記第１誘導路とは、仕切壁により区画されており、前記仕切壁と前記上部側壁とにより空気が下降する下降通路が形成され、前記上部側壁と前記ケースの側壁部とにより空気が上昇する上昇通路が形成されることを特徴とする請求項２に記載の空気清浄器。
【請求項５】
前記洗浄室と前記空気導入室とは、フィルタにより区画されており、前記フィルタは、前記下降通路と前記上昇通路との間を区画するように延設されていることを特徴とする請求項４に記載の空気清浄器。
【請求項６】
前記上部側壁は、前記ケースの上壁部から前記下流側に向けて傾斜する傾斜面と、該傾斜面の下端から垂直下方向に延びる垂直面と、を有することを特徴とする請求項２，４，５のいずれかに記載の空気清浄器。
【請求項７】
前記ファンは、前記洗浄装置の下流側に配設されていることを特徴とする請求項１ないし６のいずれかに記載の空気清浄器。
【発明の詳細な説明】
【技術分野】
【０００１】
本発明は、ファンによって内部に取込んだ空気を洗浄装置にて洗浄後、外部に空気を送り出す空気清浄器に関する。
【背景技術】
【０００２】
従来、執務室やアミューズメント施設、或いは工場等の空間内の汚れた空気を、空気清浄器を用いて処理することが試みられている。その一例として、例えば、特許文献１に示されるように、洗浄装置のケースの上端部略中央に該ケース内に連通する流出口と、該ケースの下部側方に該ケース内に連通する流入口と、を備えた空気洗浄器がある。この空気洗浄器は、ケースの内部に配設されたフィルタにより、下方側の第一洗浄室と該第一洗浄室の上方に位置する第二洗浄室とに区画されており、流出口に配設される排気ファン（ファン）の負圧によって洗浄装置のケース内に連通する流入口から第一洗浄室内に空気を取入れるようになっており、該空気は第一洗浄室内においてフィルタに沿って拡散した後、該フィルタを通過して第二洗浄室に移動する。
【０００３】
フィルタには、第二洗浄室に配設される複数のシャワー部（噴霧口）より噴出させた薬剤と水とからなる洗浄液等の液体の表面張力を利用して液体による水膜が形成されており、空気がフィルタを通過するときに水膜に接触させられることにより、当該空気内に含まれるタバコの煙やダスト、或いは汚染物質等が当該水膜に捕捉されるため除塵することができる。また第二洗浄室に移動した空気は、流出口に向かって移動するが、このときにも、水膜だけでは除塵しきれなかったタバコの煙やダスト、或いは汚染物質等を複数のシャワー部から噴出させた液体により捕捉され除塵することができる。このようにして洗浄された空気が、複数のシャワー部の上方に位置する流出口からケース外に送り出されるようになっている。
【先行技術文献】
【特許文献】
【０００４】
【特許文献１】特開２００５−２９６５７８号公報（第３頁、第１図）
【発明の概要】
【発明が解決しようとする課題】
【０００５】
しかしながら、特許文献１の空気清浄機にあっては、流出口が複数のシャワー部の垂直方向上方の位置に設けられていることから、第一洗浄室内の空気は、フィルタを介して流出口に向けて直線的に上方に移動するようになるため、流出口に向かう空気とともに複数のシャワー部から噴出されるミスト状の液体も一緒に巻き上げられ、タバコの煙やダスト、汚染物質等を含む水分が空気清浄機外に流出されてしまい、空間内の空気を空気清浄機内で十分に洗浄することができなかった。
【０００６】
本発明は、このような問題点に着目してなされたもので、水分がケース外部に流出することを抑制できる空気清浄器を提供することを目的とする。
【課題を解決するための手段】
【０００７】
前記課題を解決するために、本発明の空気清浄器は、
空気の流入口及び流出口を有するケース及び該ケース内で液体を噴霧する噴霧口を有する洗浄装置と、前記流入口から前記流出口に向けて空気の流れを生成するファンと、を備える空気清浄機であって、
前記ケースにおける前記流入口と前記流出口との間には、前記噴霧口から噴霧される前記液体により前記流入口から流入した空気を洗浄する洗浄室と、前記洗浄室の下流側において空気を下方向に誘導する第１誘導路と、前記第１誘導路により誘導された空気を該第１誘導路の誘導方向とは異なる方向に誘導する第２誘導路と、が設けられていることを特徴としている。
この特徴によれば、洗浄室により洗浄された水分を含む空気は、第１誘導路により下方向に誘導された後、第２誘導路により第１誘導路の誘導方向とは異なる方向に誘導されることから、空気が第１誘導路の誘導方向から第２誘導路の誘導方向に変向されるときに、空気よりも比重の大きい水分は下方向に振るい落とされるため、水分が空気と一緒にケース外部に流出することを抑制できる。
【０００８】
前記第１誘導路は、前記洗浄室を区画するように前記ケースの上壁部から下方に延出する上部側壁により形成されていることを特徴としている。
この特徴によれば、簡素な構造で空気を下方向に誘導することができる。
【０００９】
前記流入口と前記洗浄室との間には、空気導入室が設けられており、前記空気導入室と前記第１誘導路とは、仕切壁により区画されていることを特徴としている。
この特徴によれば、空気導入室の空気の大半は仕切壁により洗浄室に誘導されるため、空気導入室の空気が第１誘導路及び第２誘導路に直接進入することを抑制できる。
【００１０】
前記流入口と前記洗浄室との間には、空気導入室が設けられており、前記空気導入室と前記第１誘導路とは、仕切壁により区画されており、前記仕切壁と前記上部側壁とにより空気が下降する下降通路が形成され、前記上部側壁と前記ケースの側壁部とにより空気が上昇する上昇通路が形成されることを特徴としている。
この特徴によれば、空気は仕切壁と上部側壁との間の下降通路を下降した後、上部側壁とケースの側壁部との上昇通路を上昇する構造であることから、上部側壁の下端近傍において上昇する空気に下降する水分が追従しにくくなり、空気と水分を好適に分離できる。
【００１１】
前記洗浄室と前記空気導入室とは、フィルタにより区画されており、前記フィルタは、前記下降通路と前記上昇通路との間を区画するように延設されていることを特徴としている。
この特徴によれば、下降通路を下降する空気がフィルタを通過するときに該空気中の水分をフィルタに付着させることができるとともに、上昇通路を上昇する空気が巻き上げる水分をフィルタに付着させることができるため、空気中の水分を好適に除去することができる。
【００１２】
前記上部側壁は、前記ケースの上壁部から前記下流側に向けて傾斜する傾斜面と、該傾斜面の下端から垂直下方向に延びる垂直面と、を有することを特徴としている。
この特徴によれば、ケースの上壁部に沿って移動する空気が該ケースの上壁部と側壁とで成す角部で滞留することなく傾斜面に沿って斜め下方向に誘導された後、垂直面に沿って鉛直下方向に誘導されるため、空気の流速を落とすことなくスムーズに下方向に誘導できる。
【００１３】
前記ファンは、前記洗浄装置の下流側に配設されていることを特徴としている。
この特徴によれば、流出口の近傍にファンが配置されることになるので、第１誘導路により下方向に誘導される空気の流速を高めることができる。
【図面の簡単な説明】
【００１４】
【図１】実施例１における空気清浄器を示す斜視図である。
【図２】（ａ）は空気清浄器のケースの正面パネルを撤去した状態の構造図、（ｂ）は空気清浄器のケースの右側面パネルを撤去した状態の構造図、（ｃ）は空気清浄器のケースの背面パネルを撤去した状態の構造図である。
【図３】空気清浄器を構成する各構成要素の接続を示す図である。
【図４】空気清浄器の洗浄装置を示す正面断面図である。
【図５】空気清浄器の洗浄装置及び空気の流れを示す左側部断面図である。
【図６】空気清浄器の洗浄装置及び空気の流れを示す正面断面図である。
【図７】図６の囲い部Ａを示す要部拡大図である。
【図８】実施例２における空気清浄器の洗浄装置を示す正面断面図である。
【発明を実施するための形態】
【００１５】
本発明に係る空気清浄器を実施するための形態を実施例に基づいて以下に説明する。
【実施例１】
【００１６】
実施例に係る空気清浄器につき、図１から図７を参照して説明する。尚、以下、図４の紙面手前側を空気清浄器の正面側（前方側）とし、その前方側から見たときの左右方向を空気清浄器の左右方向として説明する。
【００１７】
本発明の空気清浄器１０は、例えば、執務室やアミューズメント施設、或いは工場等の室内５０（以下、単に室内５０という）においてタバコの煙やダストなどの塵芥物質、或いはウィルス、ＰＭ２．５などの汚染物質等の異物（以下、塵芥物質または汚染物質等の異物という場合がある）を含む汚れた非処理空気Ａ１を洗浄液３２ｅ（本発明の液体）にて洗浄するために、室内５０の非処理空気Ａ１を取込んで洗浄し、洗浄された洗浄済空気Ａ２を気液分離して、処理済空気Ａ３とし、気液分離された処理済空気Ａ３を室内５０に再度送り出す循環式の空気清浄器１０である。
【００１８】
図１から図３に示されるように、空気清浄器１０は、室内５０の汚れた非処理空気Ａ１を取込む取込口２１ａ、２１ｂを正面に備えた中空の筐体２０と、取込口２１ａ、２１ｂから取入れた非処理空気Ａ１中に含まれる塵芥物質または汚染物質等の異物を捕捉する洗浄装置３０と、洗浄装置３０の下流側に配置されるファン２１ｆと、ファン２１ｆの下流側に配置され洗浄装置３０を通過した洗浄済空気Ａ２から洗浄液３２ｅを分離する気液分離装置４０と、から主に構成される。処理済空気Ａ３は筐体２０の上面２３ｆに備えた排気口２２から室内５０に再度排出される。以下、筐体２０、洗浄装置３０、ファン２１ｆ、気液分離装置４０について説明する。
【００１９】
図１に示されるように、空気清浄器１０の筐体２０は、縦長の直方体の中空の箱体として構成される。この筐体２０の下端部には、複数のキャスター２０ａと、複数のストッパ２０ｂと、が備えられている。これらにより空気清浄器１０は、複数のキャスター２０ａによって床面を容易に移動して所望の場所に設置でき、複数のストッパ２０ｂにより固定できるようになっている。
【００２０】
空気清浄器１０の筐体２０の側面は、該筐体２０の骨組みを構成するフレームＦ１に対して着脱可能な平板状のパネル２３ａ（前側面）、パネル２３ｂ（右側面）、パネル２３ｃ（後側面）、パネル２３ｄ（左側面）により覆われている。図２に示されるように、空気清浄器１０の筐体２０からパネル２３ａ、２３ｂ、２３ｃ、２３ｄを撤去することにより、空気清浄器１０の内部を容易に点検できる。
【００２１】
筐体２０内部の構成機器の配置について説明すると、図２に示されるように、フレームＦ１の下段には、洗浄装置３０が配設されており、洗浄装置３０の上方には、ファン２１ｆ及び補給部３２が配設されており、ファン２１ｆの上部には、気液分離装置４０が配設されている。このように、フレームＦ１の下段に液体を利用する重量の大きな洗浄装置３０が配置されるため、空気清浄器１０の重量バランスが安定する。尚、補給部３２は、後述するように洗浄装置３０に連通するように接続されている。
【００２２】
フレームＦ１の正面側上下位置には、取込口２１ａ、２１ｂが設けられており、取込口２１ａ、２１ｂには、ダクト２１ｃ，２１ｄが接続されており、ダクト２１ｃ，２１ｄは、洗浄装置３０の背面側に連通する合流部２１ｅにて合流している。また、洗浄装置３０とファン２１ｆの吸込口とは、ダクト２１ｈにより接続されており、ファン２１ｆの吐出口と気液分離装置４０とは、ダクト２１ｊにより接続されている。また、フレームＦ１の上面２３ｆには、排気口２２が形成されており（図１参照）、排気口２２と気液分離装置４０とは、ダクト２１ｋにより接続されている。
【００２３】
次に、洗浄装置３０について説明する。図２及び図３に示されるように、取込口２１ａ，２１ｂから取入れられた非処理空気Ａ１は、それぞれダクト２１ｃ，２１ｄを通り、合流部２１ｅにて合流後、流入口３５ａを通じて洗浄装置３０の内部へ導かれる。尚、実際の合流部２１ｅは、後述するように、洗浄装置３０の背面側に近接して配置されているが、説明の便宜上、図３では、合流部２１ｅを洗浄装置３０から離間させて図示している。
【００２４】
洗浄装置３０は、非処理空気Ａ１の流入口３５ａ及び洗浄済空気Ａ２の流出口３５ｂを有するケース３４と、ケース３４内に洗浄液３２ｅを循環させる洗浄液循環部３１と、洗浄にともない減少する洗浄液３２ｅ中の薬剤をケース３４に補給する補給部３２と、ケース３４内の洗浄液３２ｅを浄化するための浄化部３３と、から主に構成される。
【００２５】
図４及び図５に示されるように、ケース３４は、筐体２０内の下部において立設するフレームＦ２の側面に取付けられるステンレス鋼材から成る平板状の側壁部３４ａ（前側面），側壁部３４ｂ（右側面），側壁部３４ｃ（後側面），側壁部３４ｄ（左側面）と、フレームＦ２の上面に取付けられるステンレス鋼材から成る平板状の上壁部３４ｅと、フレームＦ２の下面に取付けられるステンレス鋼材から成る平板状の下壁部３４ｆと、により覆われた中空部を有する略直方体状の箱体である。尚、側壁部３４ａ〜３４ｄ、上壁部３４ｅ、下壁部３４ｆは、ステンレス鋼材以外の金属や樹脂材で形成されていてもよい。
【００２６】
また、ケース３４の前側面を構成する側壁部３４ａの上部は、透光性を有する透明板から構成されており（図２（ａ）参照）、筐体２０のパネル２３ａに設けられた窓部２３ｅを介して非処理空気Ａ１の洗浄状況を外部から観察できるようになっている（図１参照）。
【００２７】
また、ケース３４の側壁部３４ｃの背面側には、合流部２１ｅが近接して配設されているとともに、合流部２１ｅと連通する流入口３５ａが形成されている。尚、説明の都合上、図４及び図５では筐体２０のパネル２３ａ〜２３ｄの図示を省略している。
【００２８】
ケース３４内部は、空気導入室Ｚ１と、洗浄室Ｚ２と、ダクト下部室Ｚ３と、ダクト内部室Ｚ４と、機械室Ｚ５と、に大別して区画されており、後述するように、流入口３５ａを通じて洗浄装置３０の内部へ導かれた非処理空気Ａ１の大半は、機械室Ｚ５に流入した後、空気導入室Ｚ１、洗浄室Ｚ２、ダクト下部室Ｚ３、ダクト内部室Ｚ４の順に移動して、ファン２１ｆの吸込口に流入する。
【００２９】
具体的には、ケース３４の内部には、左右の側壁部３４ｂ，３４ｄに亘って延びる区画壁３６ａがケース３４の上壁部３４ｅから該ケース３４の約半分の高さの位置まで略垂直下方に延設されており、これによりケース３４の上部が前後方向に区画されている。洗浄室Ｚ２及びダクト内部室Ｚ４は、区画壁３６ａよりも前方に配置されており、機械室Ｚ５は、区画壁３６ａよりも後方に配置されている。また空気導入室Ｚ１及びダクト下部室Ｚ３は区画壁３６よりも下方に配置されている。また、側壁部３４ｃと区画壁３６ａとの間には、機械室Ｚ５の上部を左右に区画する壁部３４ｇが配設されており（特に図４参照）、流入口３５ａから流入する非処理空気Ａ１は、壁部３４ｇにより空気導入室Ｚ１に流入するように誘導される。尚、図４に示すように、機械室Ｚ５における壁部３４ｇの右側には、図示しない洗浄液循環部３１の配管等が配設されている。
【００３０】
また、側壁部３４ａと区画壁３６ａの下端との間には、左右の側壁部３４ｂ，３４ｄとの間に渡ってフィルタ３７が略水平に配設されており、該フィルタ３７により区画壁３６ａの前方の空間が上下に区画されている。フィルタ３７は、ステンレス製の複数の線材で形成されたメッシュ部材３７ａと、メッシュ部材３７ａが敷き詰められるステンレス鋼材で形成されたフレーム３７ｂと、により構成されている。このメッシュ部材は、ステンレス製の複数の線材を絡ませることにより立体的に構成されており、これらの線材によって上下、左右、または斜め方向に多数の細孔が形成されている。
【００３１】
図４に示されるように、フィルタ３７の下部空間には、該下部空間を左右に仕切るステンレス鋼材から成る仕切壁３６ｂが配設されており、仕切壁３６ｂよりも左側の領域が空気導入室Ｚ１となっており、仕切壁３６ｂよりも右側の領域がダクト下部室Ｚ３となっている。尚、仕切壁３６ｂは、ステンレス鋼材以外の金属や樹脂材で形成されていてもよい。
【００３２】
また、フィルタ３７の下部空間（空気導入室Ｚ１とダクト下部室Ｚ３を含む領域）は、洗浄液３２ｅを貯留する洗浄液貯水槽３４ｍとして機能している。また、仕切壁３６ｂは、その下部において空気導入室Ｚ１とダクト下部室Ｚ３とを連通する孔（図示略）が形成されており、該孔を介して洗浄液３２ｅが空気導入室Ｚ１とダクト下部室Ｚ３との間で移動可能となっている。
【００３３】
フィルタ３７の上部空間の左側は、洗浄室Ｚ２となっている。洗浄室Ｚ２には、洗浄液循環部３１における洗浄液３２ｅを霧状に噴霧する噴霧口３１ｄが左右方向に複数配置されており、噴霧口３１ｄから噴霧される洗浄液３２ｅにより洗浄室Ｚ２内に進入した非処理空気Ａ１を洗浄することができる。
【００３４】
また、フィルタ３７の上部空間の右側には、上下方向を向く筒状のダクト部３８が配設されている。ダクト部３８は、仕切壁３６ｂよりも右側に配置されており、ダクト部３８の内部がダクト内部室Ｚ４となっている。詳しくは、上壁部３４ｅの右側には、上下に貫通する貫通孔３４ｈが形成され、該貫通孔３４ｈにダクト部３８が挿嵌して配設されており、ダクト部３８の下端縁３８ａは、フィルタ３７の上面近傍に配設されている。尚、ダクト部３８の上端部の開口は、流出口３５ｂとなっており、その上方にはダクト２１ｈが接続され気液分離装置４０に連通している（図３参照）。
【００３５】
ダクト部３８における前側壁、右側壁３８ｂ、後側壁３８ｃは、側壁部３４ａ，３４ｂ，３４ｃに沿って当接して配置されている。すなわち、ダクト部３８の前側壁、右側壁３８ｂ、後側壁３８ｃは、ケース３４の側壁部３４ａ，３４ｂ，３４ｃの一部を構成している。
【００３６】
また、図４に示されるように、ダクト部３８の左側壁３８ｄは、洗浄室Ｚ２とダクト内部室Ｚ４とを区画している。左側壁３８ｄは、上壁部３４ｅから側壁部３４ｂ（右側）に向かって延設される傾斜面３９ａと、傾斜面３９ａの下端部から略鉛直下方向（側壁部３４ｂと略平行）に延びる垂直面３９ｂと、から形成されている（特に図７参照）。換言すれば、左側壁３８ｄは、洗浄室Ｚ２を区画するようにケース３４の上壁部３４ｅから下方に延出する上部側壁を構成している。
【００３７】
尚、ダクト部３８は、筒状に構成されることに限られず、洗浄室Ｚ２とダクト内部室Ｚ４とを区画できればよく、例えば、左側壁３８ｄのみを設け、左側壁３８ｄとケース３４の側壁部３４ａ，３４ｂ，３４ｃとにより囲まれた部分をダクトとしてもよい。
【００３８】
次に、ケース３４内で洗浄液３２ｅを循環する洗浄液循環部３１について説明する。図３に示されるように、洗浄液循環部３１は、洗浄液３２ｅを循環する循環ポンプ３１ｂ、洗浄室Ｚ２内に配設され洗浄液３２ｅを霧状に噴霧する噴霧口３１ｄ、洗浄液貯水槽３４ｍと循環ポンプ３１ｂの吸込口とを接続する吸込循環パイプ３１ａ、循環ポンプ３１ｂの吐出口と噴霧口３１ｄとを接続する吐出循環パイプ３１ｃを主に備える。
【００３９】
また、洗浄液循環部３１内を循環する洗浄液３２ｅは、薬剤を含む水からなる。尚、薬剤として、塩素、次亜塩素酸等の消毒液からなる。また香りを付加する香料等を付加してもよい。
【００４０】
このような構成を有する洗浄液循環部３１によって、洗浄液貯水槽３４ｍに貯えられた洗浄液３２ｅは、循環ポンプ３１ｂによって洗浄室Ｚ２内に配設された複数の噴霧口３１ｄに圧送され、洗浄室Ｚ２内に霧状に噴霧された洗浄液３２ｅの微粒子が洗浄室Ｚ２から下方のフィルタ３７へ流れ落ちるとともに、洗浄室Ｚ２内には洗浄液３２ｅの微粒子が充満する。洗浄液３２ｅは、表面張力によりメッシュ部材３７ａに付着することでメッシュ部材３７ａの細孔に水膜を形成する。洗浄液３２ｅは、霧状の無数の微粒子となることによって表面積が増すので、洗浄室Ｚ２内に送り込まれた非処理空気Ａ１内に含まれる塵芥物質または汚染物質等の異物は、洗浄液３２ｅの微粒子によって容易に捕捉され、洗浄液３２ｅとともにフィルタ３７を介して洗浄液貯水槽３４ｍに流れ落ちる。また、ウィルス等の汚染物質は消毒剤を含んだ洗浄液によって殺菌される。
【００４１】
次に、ケース３４内の洗浄液３２ｅを浄化するための浄化部３３について説明する。図３に示されるように、浄化部３３は、ケース３４内に配設された水中ポンプ３３ｃ、ケース３４の外部に配設された洗浄液浄化用フィルタ部３３ａ、水中ポンプ３３ｃと洗浄液浄化用フィルタ部３３ａとを接続する浄化系パイプ３３ｄ，３３ｇ、洗浄液浄化用フィルタ部３３ａとケース３４を接続する浄化系パイプ３３ｂを主に備える。
【００４２】
洗浄液浄化用フィルタ部３３ａは、ろ過部と該ろ過部を収容するフィルタケースからなり、パネル２３ｄの外方に配設される。ろ過部の材料は、洗浄液３２ｅに対して長時間使用可能なポリプロピレン、ポリエチレン、ポリエステル、ＰＴＦＥ等が使用され、該繊維を中空糸フィルタ、メンブレンフィルタ、プリーツフィルタとして構成される。なお、目詰まりしたろ過部は、新しいろ過部と交換しても良いし、逆洗してろ過部の目詰まりを解消するものであってもよい。また、ろ過部を収容するフィルタケースは、透明なケースからなり、洗浄液浄化用フィルタ部３３ａを分解せずにろ過部の汚れ具合を目視で確認できる。
【００４３】
このような構成を有する浄化部３３によって、洗浄液貯水槽３４ｍに貯えられた洗浄液３２ｅは、水中ポンプ３３ｃによってケース３４の外部に配設された洗浄液浄化用フィルタ部３３ａに圧送され、該洗浄液浄化用フィルタ部３３ａによって洗浄液３２ｅ内の異物が除去され、異物が除去された洗浄液３２ｅは再度ケース３４内に戻される。これにより、空気清浄器１０は、長時間に亘り、清浄度の高い洗浄液３２ｅにより非処理空気Ａ１を洗浄できる。
【００４４】
ここで、水中ポンプ３３ｃをケース３４の洗浄液貯水槽３４ｍ内に配設しているのは、異物による噴霧口３１ｄの目詰まりを防止するためである。すなわち、空気清浄器１０を長時間運転すると、ケース３４の底部に異物が滞留してしまい、洗浄液循環部３１の循環ポンプ３１ｂが異物を吸込むと、該異物により噴霧口３１ｄの目詰まりが発生する虞がある。そこで、洗浄液貯水槽３４ｍ内に配設した水中ポンプ３３ｃによって、滞留した異物を強力に吸込み、洗浄液浄化用フィルタ部３３ａで異物を除去することで、循環ポンプ３１ｂが吸込む異物の量を低減できるので、噴霧口３１ｄの目詰まりを防止することができる。また、水中ポンプ３３ｃは、軸封部を有しないため、洗浄液３２ｅに含まれる異物によって軸封部の劣化による水漏れも防止することができる。
【００４５】
尚、水中ポンプ３３ｃと洗浄液浄化用フィルタ部３３ａとを接続する浄化系パイプ３３ｄ，３３ｇの途中には、浄化系パイプ３３ｄ，３３ｇを開閉可能なバルブ３３ｅが配設され、該バルブ３３ｅを開閉操作して、ケース３４内、浄化部３３内の洗浄液３２ｅを排出口３３ｆから排出できるようになっている。バルブの種類として、モータバルブ、ゲートバルブ、ボールバルブ等を使用することができる。
【００４６】
洗浄液３２ｅ中の薬剤を補給する補給部３２について説明する。空気清浄器１０を運転すると、洗浄液３２ｅ中に含まれる薬剤の濃度は、室内５０より集められた非処理空気Ａ１中の汚染物質に含まれている病原菌、微生物などを殺菌する過程で低下してしまう。そこで、洗浄液３２ｅ中の薬剤の濃度を適切に保つために補給部３２が設けられている。
【００４７】
補給部３２は、薬剤を貯蔵する薬剤貯蔵部３２ａ、ポンプ３２ｃ、薬剤貯蔵部３２ａとポンプ３２ｃとの間を接続するパイプ３２ｂ、ポンプ３２ｃとケース３４との間にパイプ３２ｄを主に備える。
【００４８】
補給部３２はこのような構成を備えることで、空気清浄器１０の運転時間に応じて洗浄液３２ｅ中の薬剤を補給することによって、洗浄液３２ｅ中の薬剤の濃度を適切に保つことができる。
【００４９】
次に、ファン２１ｆについて説明する。ファン２１ｆは、その羽根の回転により負圧を生じさせて空気を取込むとともに、該取込んだ空気を高圧の正圧で送出するファンであり、たとえばターボファン、シロッコファン、軸流ファン等が使用される。図３に示されるように、洗浄装置３０にて洗浄された洗浄済空気Ａ２は、ダクト２１ｈを通り、ファン２１ｆに吸込まれ、ファン２１ｆからダクト２１ｊを通り気液分離装置４０へ圧送される。
【００５０】
また、洗浄装置３０にて洗浄されファン２１ｆに吸込まれた洗浄済空気Ａ２は、ファン２１ｆの羽根の回転による遠心力により、洗浄済空気Ａ２に含まれる洗浄液３２ｅの一部を分離することができる。このように、ファン２１ｆは、室内５０の非処理空気Ａ１を取込んで、処理済空気Ａ３として室内５０に再度送り出すための送風機能を有する。
【００５１】
次に、気液分離装置４０について説明する。図３に示されるように、気液分離装置４０は、ダクト２１ｊによりファン２１ｆと接続されるケーシング４２から主に構成されている。このケーシング４２は、下部が下方に向けて先細りする略円筒状を成し、下端部には、該ケーシング４２と洗浄装置３０とを接続するドレン管２１ｎが連結される排出部４４が設けられ、上端部には、該ケーシング４２と筐体２０の排気口２２と接続するダクト２１ｋが連結される出口部４３が設けられている。この出口部４３は、略円筒状を成し、その下端部がケーシング４２内部に配設されている。
【００５２】
ダクト２１ｊから気液分離装置４０内に流入する洗浄済空気Ａ２は、一般に流線の曲率半径が小さいほど旋回速度が速くなる自由渦運動となっている。したがって、ケーシング４２の上部から該ケーシング４２の内周面に沿って旋回した洗浄済空気Ａ２は、出口部４３の下端部に向かって移動しながら、比重の大きい洗浄液３２ｅと、密度の小さい処理済空気Ａ３と、に分離される。洗浄液３２ｅは、排出部４４からドレン管２１ｎを通り洗浄装置３０内に戻され、処理済空気Ａ３は、出口部４３からダクト２１ｋを通り排気口２２から室内５０に送り出される。
【００５３】
次に、空気清浄器１０の動作について、図３、図６及び図７を用いて、詳しく説明する。尚、図６及び図７においては、主な空気の流れの方向のみを矢印により概略的に示している。
【００５４】
図３及び図６に示されるように、洗浄装置３０の下流側に配置されるファン２１ｆを動作させると、該ファン２１ｆの吸引力によりケース３４内の空気が吸い出され、取込口２１ａ、２１ｂを介して非処理空気Ａ１がケース３４内に流入するようになる。詳しくは、取込口２１ａ、２１ｂから筐体２０内に進入した非処理空気Ａ１は、合流部２１ｅに移動し、合流部２１ｅまで移動してきた非処理空気Ａ１は、流入口３５ａから機械室Ｚ５を経て空気導入室Ｚ１に流入する。空気導入室Ｚ１に流入した非処理空気Ａ１は、その大部分が仕切壁３６ｂにより洗浄室Ｚ２方向に誘導され、空気導入室Ｚ１と洗浄室Ｚ２を区画するフィルタ３７に沿って移動しながら空気導入室Ｚ１から洗浄室Ｚ２に順次移動する。
【００５５】
上記したように、空気導入室Ｚ１と洗浄室Ｚ２とは、フィルタ３７により区画されているため、空気導入室Ｚ１内の非処理空気Ａ１の圧力はフィルタ３７全面に亘り均等に分散化された状態となり、空気導入室Ｚ１の非処理空気Ａ１は、上方のフィルタ３７を通過して洗浄室Ｚ２に移動する。フィルタ３７のメッシュ部材３７ａには、洗浄液循環部３１の複数の噴霧口３１ｄから噴霧される洗浄液３２ｅによる水膜が形成されており、非処理空気Ａ１がフィルタ３７を通過するときに水膜に接触させられることにより、当該非処理空気Ａ１内に含まれる塵芥物質または汚染物質等の異物が捕捉されるため除塵することができる。尚、空気導入室Ｚ１に流入したフィルタ３７を通過する前の非処理空気Ａ１は、フィルタ３７から落下する洗浄液３２ｅにより塵芥物質または汚染物質等の異物が捕捉される。
【００５６】
また、図６に示されるように、洗浄室Ｚ２内の非処理空気Ａ１は、下流側である図示右側に移動するに伴い、複数の噴霧口３１ｄから噴出され洗浄室Ｚ２内に充満する洗浄液３２ｅの微粒子により、フィルタ３７に形成された水膜だけでは除塵しきれなかった塵芥物質または汚染物質等の異物が捕捉され除塵される。
【００５７】
このように、空気導入室Ｚ１に流入した非処理空気Ａ１の大部分は、仕切壁３６ｂにより洗浄室Ｚ２方向に誘導される。換言すれば、仕切壁３６ｂは、空気導入室Ｚ１とダクト下部室Ｚ３及びダクト内部室Ｚ４とを区画するように配設されていることから、空気導入室Ｚ１内の非処理空気Ａ１がダクト下部室Ｚ３及びダクト内部室Ｚ４に直接進入することが抑制され、非処理空気Ａ１の大部分は、洗浄室Ｚ２を通過するため、非処理空気Ａ１を十分に洗浄することができる。
【００５８】
また、空気導入室Ｚ１から洗浄室Ｚ２に移動する非処理空気Ａ１は、フィルタ３７を通過することとなる。これによれば、非処理空気Ａ１は、フィルタ３７を通過するときに該フィルタ３７の下面に沿って拡散され、且つ該フィルタ３７の抵抗により流速及び圧力が減衰されるため、洗浄室Ｚ２内の広い領域で且つ緩慢な流速及び低い圧力で通過しながら十分な時間をかけて洗浄されることとなり、洗浄効率が向上する。
【００５９】
尚、フィルタ３７は、メッシュ部材３７ａ及びフレーム３７ｂがステンレス鋼材で形成されているため、非処理空気Ａ１を洗浄後の洗浄液３２ｅが付着しても汚れが沈着し難いため、洗浄液循環部３１の複数の噴霧口３１ｄから噴霧される洗浄液３２ｅにより容易に洗い流される。これにより、フィルタ３７は、汚損され難く、メンテナンス頻度を低減することができる。
【００６０】
また、フィルタ３７に形成された洗浄液３２ｅの水膜や洗浄液３２ｅの微粒子によって捕捉された非処理空気Ａ１の中に含まれる微細な塵芥物質または汚染物質等の異物は、洗浄液貯水槽３４ｍに流れ落ち、ウィルス等の汚染物質は殺菌される。
【００６１】
洗浄室Ｚ２の右側に移動した洗浄済空気Ａ２は、ダクト部３８の左側壁３８ｄにより下方向（ダクト下部室Ｚ３方向）に向けて誘導される。つまり、ダクト部３８の左側壁３８ｄは、洗浄室Ｚ２の下流側において洗浄済空気Ａ２を下方向に誘導する第１誘導路として機能している。
【００６２】
詳しくは、図６に示すように、洗浄室Ｚ２の上部を右側に移動する（例えば、ケース３４の上壁部３４ｅに沿って移動する）洗浄済空気Ａ２は、ダクト部３８の左側壁３８ｄの傾斜面３９ａに沿って右下方向に移動し、その後、垂直面３９ｂに沿って鉛直下方向に移動する。また、前述のように、洗浄装置３０の流出口３５ｂの近傍にファン２１ｆが配置されていることから、ケース３４内においてダクト部３８近傍のファン２１ｆによる吸引力は強く、具体的には、ダクト部３８の左側壁３８ｄにより下方向に誘導される洗浄済空気Ａ２の流速が高められている。これによれば、ケース３４の上壁部３４ｅとダクト部３８の左側壁３８ｄとで成す角部に洗浄済空気Ａ２が滞留することないため、洗浄済空気Ａ２の流速を落とすことなくスムーズに鉛直下方向に誘導できる。
【００６３】
また、洗浄室Ｚ２の下方を右側に移動する洗浄済空気Ａ２についても、ダクト部３８の左側壁３８ｄや、左側壁３８ｄに沿って移動してきた洗浄済空気Ａ２の流れによりスムーズに鉛直下方向に誘導できる。尚、洗浄室Ｚ２から右側に移動する洗浄済空気Ａ２に含まれる洗浄液３２ｅの微粒子の一部は、表面張力により左側壁３８ｄに付着することで洗浄済空気Ａ２から分離される。
【００６４】
このように、洗浄室Ｚ２とダクト内部室Ｚ４とを区画するダクト部３８の左側壁３８ｄにより、洗浄室Ｚ２から下流側に移動する洗浄済空気Ａ２を下方向に誘導できるため、例えば、ケース３４の形状をＬ字状などの特殊な形状にすることで洗浄済空気Ａ２を下方向に誘導することに比べ、簡素な構造で洗浄済空気Ａ２を下方向に誘導することができる。
【００６５】
ダクト部３８の左側壁３８ｄにより下方向に向けて誘導された洗浄済空気Ａ２は、ダクト下部室Ｚ３に移動する。つまり、ダクト部３８の左側壁３８ｄと仕切壁３６ｂとの間には、洗浄済空気Ａ２が下降する下降通路３４ｊが形成されている（図７参照）。
【００６６】
図７に示されるように、下降通路３４ｊを移動する洗浄済空気Ａ２は、下降通路３４ｊの途中に配設されるフィルタ３７を通過する。下降通路３４ｊの途中に配設されるフィルタ３７は、噴霧口３１ｄよりも右側にずれた位置に配設されているため、該フィルタ３７の細孔に水膜が形成されにくく、細孔の多くが空孔として形成されている。したがって、洗浄済空気Ａ２がフィルタ３７を通過するときには、洗浄済空気Ａ２に巻き込まれていた洗浄液３２ｅの微粒子（水分）がフィルタ３７のメッシュ部材３７ａに表面張力により付着するため、洗浄済空気Ａ２から洗浄液３２ｅを好適に分離させることができる。これにより、ダクト下部室Ｚ３の洗浄液３２ｅの微粒子の量は、洗浄室Ｚ２の洗浄液３２ｅの微粒子の量に比べて少なくなる。
【００６７】
下降通路３４ｊのフィルタ３７を通過した洗浄済空気Ａ２（ダクト下部室Ｚ３内の洗浄済空気Ａ２）は、ケース３４の側壁部３４ｂの一部を構成するダクト部３８の右側壁３８ｂにより上方のダクト内部室Ｚ４に向けて移動するように誘導される。つまり、ダクト部３８の右側壁３８ｂ及びケース３４の側壁部３４ｂは、ダクト部３８の左側壁３８ｄにより下方向に向けて誘導された洗浄済空気Ａ２を異なる方向（上方向）に誘導する第２誘導路として機能しており、ダクト部３８の左側壁３８ｄと、ダクト部３８の右側壁３８ｂ及びケース３４の側壁部３４ｂとの間には、洗浄済空気Ａ２が上昇する上昇通路３４ｋが形成されている。
【００６８】
これによれば、ダクト下部室Ｚ３において、下降通路３４ｊを下降した洗浄済空気Ａ２が上昇通路３４ｋを上昇するように移動方向が変向されたときに、比重の大きな洗浄液３２ｅの水分は、洗浄済空気Ａ２の上昇に追従することができずに分離され、洗浄液貯水槽３４ｍに落下する（図７の白矢印部分参照）。すなわち、洗浄液３２ｅの水分が洗浄済空気Ａ２と一緒に上昇することを抑制できる。
【００６９】
また、上昇通路３４ｋを移動する洗浄済空気Ａ２は、上昇通路３４ｋの途中に配設されるフィルタ３７を通過した後、ダクト内部室Ｚ４を上昇していく。上昇通路３４ｋの途中に配設されるフィルタ３７は、下降通路３４ｊの途中に配設されるフィルタ３７と同様に、噴霧口３１ｄよりも右側にずれた位置に配設されているため、該フィルタ３７の細孔の多くが空孔として形成されている。したがって、ダクト下部室Ｚ３の洗浄済空気Ａ２がフィルタ３７を通過するときには、該フィルタ３７に上昇する洗浄液３２ｅの微粒子が表面張力により付着するため、洗浄済空気Ａ２から洗浄液３２ｅを好適に分離させることができる。これにより、ダクト内部室Ｚ４の洗浄液３２ｅの微粒子の量は、ダクト下部室Ｚ３の洗浄液３２ｅの微粒子の量に比べて少なくなり、極めて水分の少ない洗浄済空気Ａ２がケース３４の外部に送り出される。
【００７０】
尚、ケース３４の外部に送り出された洗浄済空気Ａ２は、ファン２１ｆの羽根の回転による遠心力により水分が除去され、気液分離装置４０によりさらに水分が除去されて処理済空気Ａ３となる。そのため、洗浄後の洗浄液３２ｅの水分が室内５０に送り出されることが確実に防止できる。
【００７１】
以上説明したように、ケース３４における流入口３５ａと流出口３５ｂとの間には、噴霧口３１ｄから噴霧される洗浄液３２ｅにより流入口３５ａから流入した非処理空気Ａ１を洗浄する洗浄室Ｚ２と、洗浄室Ｚ２の下流側において洗浄済空気Ａ２を下方向に誘導するダクト部３８の左側壁３８ｄと、ダクト部３８の左側壁３８ｄにより誘導された洗浄済空気Ａ２を該左側壁３８ｄの誘導方向（下方向）とは異なる方向に誘導するダクト部３８の右側壁３８ｂ及びケース３４の側壁部３４ｂと、が設けられている。
【００７２】
このようにすることで、洗浄室Ｚ２により洗浄された水分を含む洗浄済空気Ａ２は、ダクト部３８の左側壁３８ｄにより下方向に誘導された後、ダクト部３８の右側壁３８ｂ及びケース３４の側壁部３４ｂにより左側壁３８ｄの誘導方向とは異なる方向に誘導されることから、洗浄済空気Ａ２が左側壁３８ｄの誘導方向からダクト部３８の右側壁３８ｂ及びケース３４の側壁部３４ｂの誘導方向に変向されるときに、洗浄済空気Ａ２よりも比重の大きい水分は下方向に振るい落とされるため、水分が洗浄済空気Ａ２と一緒にケース３４の外部に流出することを抑制できる。
【００７３】
このように、非処理空気Ａ１を洗浄後の汚れを含む水分が洗浄済空気Ａ２と一緒にケース３４の外部に流出することを抑制できるため、例えば、該水分がケース３４とファン２１ｆとを接続するダクト２１ｈ内に付着して析出することを防止できる。
【００７４】
また、非処理空気Ａ１は、ケース３４外に送り出されるまでに複数回（本実施例では３回）フィルタ３７を通過する構成であるため、洗浄効率が向上する。
【００７５】
また、ダクト部３８の左側壁３８ｄにより下方向に誘導される洗浄済空気Ａ２の流速が高められているため、下方向に誘導される洗浄済空気Ａ２が上方向に移動するように変向されるときに、洗浄済空気Ａ２中の水分が該洗浄済空気Ａ２の上昇に極めて追従しにくく、水分を洗浄済空気Ａ２から好適に分離できる。
【００７６】
また、ダクト部３８の下端縁３８ａは、フィルタ３７の上面近傍に配設されていることから、ダクト部３８の左側壁３８ｄに沿って下方向に誘導される洗浄済空気Ａ２の一部は、ダクト部３８とフィルタ３７との間からダクト内部室Ｚ４に流入する。この場合、ダクト部３８の下端縁３８ａの近傍で洗浄済空気Ａ２の移動方向が変向されるが、この変向に伴い洗浄済空気Ａ２の圧力が下がるために、洗浄済空気Ａ２内に含まれる比重の大きい水分が当該洗浄済空気Ａ２に追従することができずに分離されやすいことに加え、洗浄済空気Ａ２中の水分が該洗浄済空気Ａ２の上昇に追従する前にフィルタ３７に付着しやすいことから、洗浄済空気Ａ２中の水分が好適に除去される。
【００７７】
また、図７に示されるように、仕切壁３６ｂとフィルタ３７との間は、例えば１０ｍｍ〜２０ｍｍ程度上下に離間している。これによれば、空気導入室Ｚ１の非処理空気Ａ１の一部が仕切壁３６ｂとフィルタ３７との間から微量にダクト下部室Ｚ３に流入するが、空気導入室Ｚ１及びダクト下部室Ｚ３においてもフィルタ３７から落下する洗浄液３２ｅにより非処理空気Ａ１が洗浄される。さらに、仕切壁３６ｂとフィルタ３７との間は、絞られていることから、仕切壁３６ｂとフィルタ３７との間を通過する非処理空気Ａ１の流速が早くなるため、洗浄室Ｚ２からダクト下部室Ｚ３に流入する洗浄済空気Ａ２の流れを促進する効果もある。
【００７８】
尚、洗浄液３２ｅの水分のほとんどは、ケース３４内で除去されることから、気液分離装置４０を設けない態様であってもよく、この態様であれば、ファン２１ｆから室内５０に洗浄済空気Ａ２（処理済空気Ａ３）が送り出される。
【００７９】
また、空気清浄器１０は、ファン２１ｆからダクト２１ｊを通り気液分離装置４０へ圧送されるので、気液分離装置４０内の空気の圧力を高く保つことができ、ドレン管２１ｎ内が負圧になるのを防止できるので、洗浄液３２ｅの逆流を防止できる効果もある。
【００８０】
また、気液分離装置４０にて分離された洗浄液は、ドレン管２１ｎを通り洗浄装置３０内に戻されるので、洗浄液の急速な減少を防止することができ、空気清浄器１０を長時間運転することができる。
【００８１】
尚、本実施例では、下降通路３４ｊ及び上昇通路３４ｋにより洗浄済空気Ａ２の移動方向が上下に変向される形態を例示したが、少なくとも非処理空気Ａ１を下方向に誘導する第１誘導路と、第１誘導路の下流側で該第１誘導路とは異なる方向に誘導する第２誘導路とを有していればよく、ケース３４の形状やフィルタ３７の位置や有無、第１誘導路や第２誘導路の誘導方向等は自由に変更できる。例えば、第１誘導路は、非処理空気Ａ１を斜め下方向に誘導してもよいし、第２誘導路は、非処理空気Ａ１を斜め上方向、斜め下方向、横方向等に誘導してもよい。
【００８２】
また、本実施例では、洗浄室Ｚ２とダクト内部室Ｚ４とを区画するダクト部３８の左側壁３８ｄにより洗浄済空気Ａ２を下方向に誘導する形態を例示したが、これに限定されるものではなく、例えば、ケース３４の形状をＬ字状などの特殊な形状にすることで洗浄済空気Ａ２を下方向に誘導するようにしてもよい。
【実施例２】
【００８３】
次に、実施例２に係る空気洗浄器の洗浄装置１３０につき、図８を参照して説明する。尚、前記実施例と同一構成で重複する説明を省略する。
【００８４】
洗浄装置１３０は、ダクト部３８０の下端縁３８０ａがフィルタ３７の下方まで伸びている。これによれば、洗浄済空気Ａ２が下降する距離が長くなるとともに、ダクト内部室Ｚ４’に流入する前に確実にフィルタ３７を通過するため、処理済空気Ａ３中の水分を効率よく分離させることができる。
【００８５】
以上、本発明の実施例を図面により説明してきたが、具体的な構成はこれら実施例に限られるものではなく、本発明の要旨を逸脱しない範囲における変更や追加があっても本発明に含まれる。
【００８６】
例えば、前記実施例では、ケース３４は、中空部を有する略直方体状の箱体である態様として説明したが、これに限らず、略円柱状や卵状等に形成されていてもよい。
【００８７】
また、ケース３４は、鉄等の金属、木材、プラスチック等からなる壁面に騒音を低減するための消音材、吸音材を取付けた壁面を備える構成であってもよい。
【００８８】
フィルタ３７は、メッシュ部材３７ａ及びフレーム３７ｂがステンレス鋼材で形成されている態様として説明したが、これに限らず、樹脂材や他の金属部材で形成されていてもよい。
【００８９】
下降通路３４ｊ及び上昇通路３４ｋは、ケース３４の内部に形成される態様として説明したが、これに限らず、ダクトや配管等で形成されていてもよい。また、下降通路３４ｊ及び上昇通路３４ｋは、略鉛直方向に延設されている態様として説明したが、これに限らず、傾斜していてもよい。さらに、下降通路３４ｊ及び上昇通路３４ｋが複数形成されていてもよい。
【００９０】
洗浄液３２ｅは、薬剤を含む水であったが、薬剤を含まない水であってもよい。また、水道水に限らず、水素水を使用してもよい。
【符号の説明】
【００９１】
１０              空気清浄器
２１ｆ            ファン
３０              洗浄装置
３１ｄ            噴霧口
３２ｅ            洗浄液（液体）
３４              ケース
３４ｂ            側壁部（第２誘導路）
３４ｊ            下降通路
３４ｋ            上昇通路
３５ａ            流入口
３５ｂ            流出口
３６ｂ            仕切壁
３７              フィルタ
３８              ダクト部
３８ｂ            右側壁（第２誘導路）
３８ｄ            左側壁（上部側壁，第１誘導路）
３９ａ            傾斜面
３９ｂ            垂直面
１３０            洗浄装置
３８０            ダクト部
Ａ１              非処理空気
Ａ２              洗浄済空気
Ａ３              処理済空気
Ｚ１              空気導入室
Ｚ２              洗浄室
Ｚ３              ダクト下部室
Ｚ４，Ｚ４’      ダクト内部室
【図１】
2018199118.tif 000003
【図２】
2018199118.tif 000004
【図３】
2018199118.tif 000005
【図４】
2018199118.tif 000006
【図５】
2018199118.tif 000007
【図６】
2018199118.tif 000008
【図７】
2018199118.tif 000009
【図８】
2018199118.tif 000010